【事件の表示】
　特願２０１８−　１４８４８「デバイスツーデバイス通信のための装置、方法、システム、コンピュータ・プログラム及び記憶媒体」拒絶査定不服審判事件〔平成３０年　６月　７日出願公開、特開２０１８−　８８７０３〕について、次のとおり審決する。
【結　論】
　本件審判の請求は、成り立たない。
【理　由】
第１　手続の経緯
本願は，２０１４年（平成２６年）９月１８日（パリ条約による優先権主張　外国庁受理　２０１３年９月２６日　米国）を国際出願日とする出願である特願２０１６−５３６５１５号の一部を，平成３０年１月３１日に新たに特許出願したものであって，その手続の経緯は以下のとおりである。
　平成３０年１１月１９日付け　拒絶理由通知書
　平成３１年　２月２５日　　　意見書，手続補正書の提出
　令和　１年　５月３１日付け　拒絶査定
　令和　１年　９月２５日　　　拒絶査定不服審判の請求、手続補正書の提　　　　　　　　　　　　　　　出
　令和　２年　１月２９日　　　上申書の提出
第２　本願発明
　本願の請求項に係る発明は，令和１年９月２５日に提出された手続補正書により補正された特許請求の範囲の請求項１ないし２６に記載された事項により特定されるものであると認められるところ，その請求項１に係る発明（以下，「本願発明」という。）は，以下のとおりである。
「　【請求項１】
　処理回路とメモリとを有し、ダイレクト・ディスカバリ通信モードに従って動作するユーザ装置（ＵＥ）の装置であって、前記処理回路は：
　エボルブド・ノードＢ（ｅＮＢ）から受信されるブロードキャスト・メッセージから、システム情報ブロック（ＳＩＢ）を受信することであって、前記ＳＩＢは、前記ダイレクト・ディスカバリ通信モードで使用するための１つ以上の周波数を示す１つ以上のシステム情報パラメータを含み、前記ダイレクト・ディスカバリ通信モードの間、前記ＵＥは第２ＵＥと直接的に通信するように構成されている、こと；
　前記ダイレクト・ディスカバリ通信モードを開始し、前記ダイレクト・ディスカバリ通信モードに専用のリソースの割り当てを要求するために、無線リソース制御（ＲＲＣ）コネクテッド・モードの間に、前記ｅＮＢへのメッセージの送信を開始することであって、前記専用のリソースは前記１つ以上のシステム情報パラメータにより示される１つ以上の周波数を含む、こと；及び
　前記ダイレクト・ディスカバリ通信モードの間に、前記専用のリソースで前記第２ＵＥへ送信するディスカバリ信号を送信すること；
　を行うように構成され、
　前記メモリは、前記ＵＥの動作を実行するための命令を保存するように構成される、装置。」
第３　原査定の拒絶の理由
　原査定の拒絶の理由は，
「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものであり，請求項１に対して，国際公開２０１２／０８８４７０号が引用されている。
第４　引用発明及び公知技術
１　引用発明
原査定で引用された国際公開２０１２／０８８４７０号（以下、「引用例」という。）には、図面とともに以下の事項が記載されている。（下線は当審が付与。）
（１）　「[0004] 
A wireless communication network may include a number of base stations that can support communication for a number of user equipment devices (UEs).
（当審仮訳：
[0004] 
ワイヤレス通信ネットワークは、いくつかのユーザ機器デバイス（ＵＥ）の通信をサポートすることができるいくつかの基地局を含むことができる。
（２）　「[0065] 
FIG. 5 shows a flow diagram of a design of a process 500 for establishing P2P communication. A first UE 504 may perform pre-connection establishment 510a with its serving eNB 502 to obtain pertinent information to use for P2P communication 518.
[0066] 
The first UE 504 and second UE 506 may perform peer discovery to detect for other UEs within their vicinity at 512. Peer discovery 512 may be performed after pre-connection establishment 510a, 510b 
Each UE may perform peer discovery 512 by (i) transmitting a proximity detection signal (PDS) to allow other UEs to detect the presence of that UE 
（中略）
[0071] 
In an aspect, pre-connection establishment may be performed to enable a UE to obtain P2P configuration information that may be used for P2P communication.
In one design, the P2P configuration information may convey resources allocated for P2P
(e.g., for peer discovery
The allocated resources for P2P may include resources for the PHY layer
e.g.
resource blocks,
[0072] 
FIG. 6 shows a design of a process 600 for pre-connection establishment based on unicast signaling.
Each UE may perform pre-connection establishment via its serving eNB
In one design that is shown in FIG. 6, pre-connection establishment may be performed between a UE and an eNB by exchanging RRC messages, which are control messages for an upper layer protocol.
[0073] 
For pre-connection establishment, a first UE 606 may send an RRC P2P configuration request(RRCP2PConfigRequest) message 610 to request for P2P configuration information. The eNB 602 may receive the message from the requesting UE 606 and may send an RRC P2P configuration message (RRCP2PConfiguration) 612 message to the first UE 606 (for example, via an Uu interface) to establish all P2P configurations needed by the first UE 606 prior to actual direct connection establishment, which may be via the Ud interface. 
（当審仮訳：
[0065] 
図５に、Ｐ２Ｐ通信を確立するためのプロセス５００の設計の流れ図を示す。第１のＵＥ５０４は、Ｐ２Ｐ通信５１８に使用する関連情報を取得するために、そのサービングｅＮＢ５０２との事前接続確立（pre-connection establishment）５１０ａを実行することができる。
[0066] 
５１２において、第１のＵＥ５０４および第２のＵＥ５０６は、それらの近傍内にある他のＵＥを検出するためにピア発見を実行することができる。ピア発見５１２は、事前接続確立５１０ａ、５１０ｂの後、
に実行され得る。各ＵＥは、（ｉ）当該ＵＥの存在を他のＵＥが検出できるように近傍検出信号（proximity detection signal）（ＰＤＳ）を送信すること
ピア発見５１２を実行することができる
（中略）
[0071] 
一態様では、Ｐ２Ｐ通信に使用され得るＰ２Ｐ構成情報をＵＥが取得できるように事前接続確立が実行され得る。
１つの設計では、Ｐ２Ｐ構成情報は、
たとえば、ピア発見
のために
Ｐ２Ｐに割り振られたリソース
を伝達することができる。Ｐ２Ｐに割り振られたリソースは、ＰＨＹレイヤのリソース
たとえば
リソースブロック
を含むことができる。
[0072] 
図６に、ユニキャストシグナリングに基づく事前接続確立のためのプロセス６００の設計を示す。
図６に示す１つの設計では、事前接続確立は、上位レイヤプロトコルの制御メッセージであるＲＲＣメッセージを交換することによって、ＵＥとｅＮＢとの間で実行され得る。
[0073] 
事前接続確立のために、第１のＵＥ６０６は、Ｐ２Ｐ構成情報を要求するためにＲＲＣＰ２Ｐ構成要求（「ＲＲＣＰ２ＰＣｏｎｆｉｇＲｅｑｕｅｓｔ」）メッセージ６１０を送ることができる。ｅＮＢ６０２は、要求側ＵＥ６０６からこのメッセージを受信することができ、Ｕdインターフェース経由であり得る実際の直接接続確立の前に第１のＵＥ６０６が必要とするすべてのＰ２Ｐ構成を確立するために、（たとえば、Ｕｕインターフェース経由で）第１のＵＥ６０６にＲＲＣＰ２Ｐ構成メッセージ（「ＲＲＣＰ２ＰＣｏｎｆｉｇｕｒａｔｉｏｎ」）６１２メッセージを送ることができる。
（３）　「[00142] The method 1400 may further include, at 1404, first UE communicating directly with the second UE based on the P2P configuration information. 
For example, the first UE may set up a P2P communication link with the second UE complying with parameters specified by the P2P configuration information.
Examples of such parameters are discussed herein above, for example in connection with FIG.6, and may include, for example, resources allocated for P2P
e.g., forpeer discovery
The allocated resources for P2P may include resources for the PHY layer 
e.g.
resource blocks
（中略）
[00144] 
Additional operations 1500 relating to a mode for obtaining the P2P configuration information are shown in FIG. 15. In an embodiment of the method 1400, the operation 1402 may further include, at 1502, the first UE sending a configuration request message to the base station, for example as shown at 610 in FIG. 6. The operation 1402 may further include, at 1504, first UE then receiving a configuration message comprising the P2P configuration information from the base station, for exampleas shown at 612 in FIG. 6. In an aspect of the method 1400, the configuration request message and the configuration message may comprise RRC messages supporting P2P, as illustrated at block 1506.
（当審仮訳：
[00142] 方法１４００は、１４０４において第１のＵＥがＰ２Ｐ構成情報に基づいて第２のＵＥと直接通信することをさらに含むことができる。
たとえば、第１のＵＥは、Ｐ２Ｐ構成情報によって指定されたパラメータに従って第２のＵＥとのＰ２Ｐ通信リンクをセットアップすることができる。そのようなパラメータの例は、たとえば、図６に関連して本明細書ですでに説明しており、たとえば、（たとえば、ピア発見
Ｐ２Ｐに割り振られたリソース
を含み得る
Ｐ２Ｐに割り振られたリソースは、ＰＨＹレイヤのリソース
たとえば
リソースブロック
を含むことができる。
（中略）
[00144] 
Ｐ２Ｐ構成情報を取得するための方式に関係する追加の動作１５００が、図１５に示されている。方法１４００の一実施形態において、動作１４０２は、１５０２において第１のＵＥが、たとえば図６の６１０に示すように基地局に構成要求メッセージを送ることをさらに含み得る。動作１４０２は、１５０４において、次いで第１のＵＥが、たとえば図６の６１２に示すように基地局からＰ２Ｐ構成情報を備える構成メッセージを受信することをさらに含み得る。方法１４００の一態様では、構成要求メッセージおよび構成メッセージは、ブロック１５０６に示すようにＰ２ＰをサポートするＲＲＣメッセージを備えることができる。
（４）　「[00148] 
With reference to FIG. 19, there is provided an exemplary apparatus 1900 that may be configured as a UE in a wireless network, or as a processor or similar device for use within the UE, for configuring a P2P link of a wireless communications system. 
（中略）
[00151] 
The apparatus 1900 may include similar electrical components for performing any or all of the method 1400 described in connection with FIGS. 15-18,
（中略）
[00153] In further related aspects, the apparatus 1900 may include a network interface component 1914 for communicating with other network entities. The apparatus 1900 may optionally include acomponent for storing information, such as, for example, a memory device/component 1916. The computer readable medium or the memory component 1916 may be operatively coupled to the other components of the apparatus 1900 via the bus 1912 or the like. 
The memory component 1916 may be adapted to store program instructions and data for performing the activity of the components 1902-1904, and subcomponents thereof, or the processor 1910, the method 1400, or the methods disclosed herein. 
（当審仮訳：
[00148]
図１９を参照すると、ワイヤレス通信システムのＰ２Ｐリンクを構成するための、ワイヤレスネットワーク中のＵＥとして、あるいはＵＥ内で使用するためのプロセッサまたは同様のデバイスとして構成され得る例示的な装置１９００が与えられている。
（中略）
[00151] 
装置１９００は、
図１５〜図１８に関連して説明した方法１４００のいずれかまたはすべてを実行するための同様の電気的構成要素を含み得る。
（中略）
[00153] さらなる関連する態様では、装置１９００は、他のネットワークエンティティと通信するためのネットワークインターフェース構成要素１９１４を含み得る。装置１９００は、たとえば、メモリデバイス／構成要素１９１６など、情報を記憶するための構成要素を随意に含み得る。コンピュータ可読媒体またはメモリ構成要素１９１６は、バス１９１２などを介して装置１９００の他の構成要素に動作可能に結合され得る。
メモリ構成要素１９１６は、構成要素１９０２〜１９０４、およびそれらの副構成要素、またはプロセッサ１９１０、方法１４００、または本明細書で開示する方法のアクティビティを実行するための、プログラム命令とデータとを記憶するように適応され得る。
（５）　「[00157] 
In one configuration, apparatus 320a and/or 320b for wireless communication may each include means for receiving P2P configuration information from a base stationat a first UE,
[00158] 
In an aspect, the aforementioned means may include processor(s) 214, 220 and/or 230 at UE 320a and/or processors(s)260, 270 and/or 238 at UE 320b, which may be configured to perform the functions recited by the aforementioned means.
Said means may include any one or combination of the aforementioned processors executing algorithms for performing the operations described above in connection with FIG. 14. The algorithms may include operational details as described in connection with FIGS. 5 to 11 and/or FIGS. 15 to 19.
（当審仮約：
[00157] 
一構成では、ワイヤレス通信のための装置３２０ａおよび／または３２０ｂは、第１のＵＥにおいて基地局から、基地局のカバレージ内にあるＵＥのためのＰ２Ｐ通信をサポートするＰ２Ｐ構成情報を受信するための手段
含むことができる
[00158]一
態様では、上述の手段は、上述の手段によって具陳される機能を実行するように構成され得る、ＵＥ３２０ａにおける（１つもしくは複数の）プロセッサ２１４、２２０および／もしくは２３０、ならびに／またはＵＥ３２０ｂにおける（１つもしくは複数の）プロセッサ２６０、２７０および／もしくは２３８を含み得る。
前記手段は、図１４に関連して上記で説明した動作を実行するためのアルゴリズムを実行する上述のプロセッサのいずれか１つまたは組合せを含み得る。このアルゴリズムは、図５〜図１１および／または図１５〜図１９に関連して説明した動作の詳細を含み得る。
（６）　ＦＩＧ．５
「
」
（７）　ＦＩＧ．６
「
」
（８）　ＦＩＧ．１５
「
」
　上記の記載，並びに当業者の技術常識を考慮すると，以下のことがいえる。
ア　上記（１）の段落０００４、上記（２）の段落００６５〜００６６の記載、及び、上記（６）のＦＩＧ．５によれば、ユーザ機器デバイス（ＵＥ）は、ｅＮＢとの事前接続確立を実行し、事前接続確立の後、近傍内にある他のＵＥを検出するためにピア発見を実行する。
　したがって、引用例には、「ｅＮＢとの事前接続確立を実行し、事前接続確立の後、近傍内にある他のＵＥを検出するためにピア発見を実行するユーザ機器デバイス（ＵＥ）」が記載されているといえる。
イ　上記（２）の段落００７１、上記（３）の段落００１４２の各記載によれば、引用例では、Ｐ２Ｐ構成情報を取得できるように事前接続確立が実行され、該Ｐ２Ｐ構成情報は、ピア発見のためにＰ２Ｐに割り振られたリソースを含み、さらに、該リソースにはリソースブロックが含まれる。
　そして、上記（２）の段落００７２、００７３、上記（３）の段落００１４４の各記載、及び、上記（７）のＦＩＧ．６、上記（８）のＦＩＧ．１５によれば、ＵＥは、Ｐ２Ｐ構成情報を要求するためにＲＲＣＰ２Ｐ構成要求メッセージをｅＮＢに送信し、ｅＮＢからＰ２Ｐ構成情報を備えるＲＲＣＰ２Ｐ構成メッセージを受信することにより、事前接続確立が実行されるといえる。
　したがって、引用例には、「ピア発見のためにＰ２Ｐに割り振られたリソースを含むＰ２Ｐ構成情報を要求するＲＲＣＰ２Ｐ構成要求メッセージをｅＮＢに送信し、ｅＮＢから前記Ｐ２Ｐ構成情報を備えるＲＲＣＰ２Ｐ構成メッセージを受信することにより事前接続確立を実行し、Ｐ２Ｐに割り振られたリソースはリソースブロックを含む」ことが記載されているといえる。
ウ　上記（２）の段落００６６の記載、上記（６）のＦＩＧ．５によれば、ＵＥは、当該ＵＥの存在を他のＵＥが検出できるように近傍検出信号を送信することによってピア発見を実行する。
　したがって、引用例には、「ＵＥは、当該ＵＥの存在を他のＵＥが検出できるように近傍検出信号を送信することによってピア発見を実行する」ことが記載されているといえる。
エ　上記（４）の段落００１４８、００１５３の記載によれば、ＵＥは、「メモリ」と「プロセッサ」を備え、段落００１５３の記載によれば、「メモリ」は「ＵＥのアクティビティを実行するためのプログラム命令とデータとを記憶する」といえる。
オ　上記（５）の記載によれば、引用例には、ＵＥが、ＦＩＧ．５、ＦＩＧ．６に関連する動作を実行するためのアルゴリズムを実行するプロセッサを含むことが記載されているから、ＵＥは、上記イ〜ウで述べた動作を実行するプロセッサを備えていることは明らかである。
　したがって、引用例には、以下の発明（以下、「引用発明」という。）が記載されているものと認める。
「ＵＥのアクティビティを実行するためのプログラム命令とデータとを記憶するメモリと、プロセッサを備え、ｅＮＢとの事前接続確立を実行し、事前接続確立の後、近傍内にある他のＵＥを検出するためにピア発見を実行するユーザ機器デバイス（ＵＥ）であって、
　前記プロセッサは、
　前記ピア発見のためにＰ２Ｐに割り振られたリソースを含むＰ２Ｐ構成情報を要求するＲＲＣＰ２Ｐ構成要求メッセージをｅＮＢに送信し、ｅＮＢから前記Ｐ２Ｐ構成情報を備えるＲＲＣＰ２Ｐ構成メッセージを受信することにより事前接続確立を実行し、Ｐ２Ｐに割り振られたリソースはリソースブロックを含み、
　前記ＵＥの存在を他のＵＥが検出できるように近傍検出信号を送信することによってピア発見を実行する、
　ユーザ機器デバイス。」
２　公知技術
　また、引用例には、図面とともに以下の事項が記載されている。（下線は当審が付与。）
（９）「[0075] 
FIG. 7 shows a design of a process 700 for pre-connection establishment based on broadcast signaling. Process 700 may also be used for steps 510a and 510b in FIG. 5. In the example shown in FIG. 7, a first eNB 702 may periodically broadcast system information blocks (SIBs) to UEs within its coverage 710. One or more of the SIBs from the first eNB 702 may carry P2P configuration information for UEs within the coverage of first eNB 702.
（当審仮訳：
[0075] 
図７に、ブロードキャストシグナリングに基づく事前接続確立のためのプロセス７００の設計を示す。プロセス７００も、図５のステップ５１０ａおよび５１０ｂに使用できる。図７に示す例では、第１のｅＮＢ７０２はそのカバレージ内にあるＵＥにシステム情報ブロック（ＳＩＢ）を周期的にブロードキャストすることができる（７１０）。第１のｅＮＢ７０２からのＳＩＢのうちの１つまたは複数は、第１のｅＮＢ７０２のカバレージ内にあるＵＥのために、Ｐ２Ｐ構成情報を搬送することができる。
（１０）「[00145] 
Additional operations 1600 relating to a mode for obtaining the P2P configuration information are shown in FIG. 16, for an alternative design. In another embodiment of the method 1400, the operation 1402 may further include, at 1602, the first UE receiving at least one SIB that is broadcast by the base station, for example as shown at 710 in FIG. 7. The method 1400 may further include, at1604, the first UE obtaining the P2P configuration information from the at least one SIB.
（当審仮訳：
[0145] 
Ｐ２Ｐ構成情報を取得するための方式に関係する追加の動作１６００が、代替的設計として図１６に示されている。方法１４００の別の実施形態において、動作１４０２は、１６０２において第１のＵＥが、たとえば図７の７１０に示すように基地局によってブロードキャストされた少なくとも１つのＳＩＢを受信することをさらに含み得る。方法１４００は、１６０４において第１のＵＥが少なくとも１つのＳＩＢからＰ２Ｐ構成情報を取得することをさらに含み得る。
（１１）　ＦＩＧ．７
「
」
（１２）　ＦＩＧ．１６
「
」
　上記（９）の段落００７５、上記（１０）の段落００１４５の各記載、及び、上記（１１）のＦＩＧ．７、（１２）のＦＩＧ．１６によれば、ＵＥが実行する事前接続確立に関して、本願発明とは別の実施例として、ｅＮＢはＵＥにシステム情報ブロック（ＳＩＢ）をブロードキャストし、ＳＩＢはＰ２Ｐ構成情報を搬送し、ＵＥは、受信したＳＩＢからＰ２Ｐ構成情報を取得することが記載されている。
　そして、上記１の（２）の段落００７１、同（３）の段落００１４２の各記載によれば、上記Ｐ２Ｐ構成情報は、ピア発見のためにＰ２Ｐに割り振られたリソースを含み、さらに、該リソースにはリソースブロックが含まれるといえる。
　さらに、上記１の（５）の記載によれば、引用例には、ＵＥが、ＦＩＧ．７、ＦＩＧ．１６に関連する動作を実行するためのアルゴリズムを実行するプロセッサを含むことが記載されていることから、ＵＥは、事前接続確立に係わる上記動作を実行するプロセッサを備えていることは明らかである。
　以上から、引用例には、以下の公知技術（以下、「公知技術」という。）が記載されていると認める。
「プロセッサを備え、ｅＮＢとの事前接続確立を実行するユーザ機器デバイス（ＵＥ）であって、
　前記プロセッサは、
　前記ｅＮＢからブロードキャストされたシステム情報ブロック（ＳＩＢ）を受信し、受信したＳＩＢから、ピア発見のためにＰ２Ｐに割り振られたリソースを含むＰ２Ｐ構成情報を取得することよって事前接続確立を実行し、Ｐ２Ｐに割り振られたリソースはリソースブロックを含む、
　ユーザ機器デバイス。」
第５　対比・判断
　本願発明と引用発明とを対比する。
１　引用発明の「ピア発見」は、「ＵＥの存在を他のＵＥが検出できるように近傍検出信号を送信」することにより実行されるところ、該「ピア発見」では、他のＵＥは近傍検出信号を検出し、ｅＮＢ等を介さずにＵＥを直接発見していることは明らかであって、このような「ピア発見」は、「ＵＥの存在を他のＵＥが検出できるように近傍検出信号を送信」するという１つの通信モードといえるから、引用発明の「ピア発見」は、本願発明の「ダイレクト・ディスカバリ通信モード」に含まれる。
　そして、引用発明の「リソース」は、「ピア発見のために」に割り振られているから、引用発明の「前記ピア発見のためにＰ２Ｐに割り振られたリソース」は、本願発明の「ダイレクト・ディスカバリ通信モードに専用のリソース」に含まれる。
　また、引用発明の「ＲＲＣＰ２Ｐ構成要求メッセージをｅＮＢに送信し」との事項から、該「ＲＲＣＰ２Ｐ構成要求メッセージ」が、ＲＲＣ接続状態の間に送信されることは当然のことであって、該「ＲＲＣＰ２Ｐ構成要求メッセージ」は、「ピア発見のためにＰ２Ｐに割り振られたリソースを含むＰ２Ｐ構成情報」を要求するためにｅＮＢに送信されるのであるから、引用発明の「前記ピア発見のためにＰ２Ｐに割り振られたリソースを含むＰ２Ｐ構成情報を要求するＲＲＣＰ２Ｐ構成要求メッセージをｅＮＢに送信」することは、本願発明の「前記ダイレクト・ディスカバリ通信モードに専用のリソースの割り当てを要求するために、無線リソース制御（ＲＲＣ）コネクテッド・モードの間に、前記ｅＮＢへのメッセージの送信を開始すること」に含まれる。
　そして、引用発明の「前記ピア発見のためにＰ２Ｐに割り振られたリソース」は「リソースブロック」を含み、リソースブロックが、時間―周波数単位で規定された物理リソースであることは技術常識であって、引用発明の「Ｐ２Ｐ構成情報」を、「システム情報パラメータ」と称することには任意である。
　さらに、引用発明における「事前接続確立」は、「ピア発見」が実行される前に開始されるものであって、「前記ピア発見のためにＰ２Ｐに割り振られたリソースを含むＰ２Ｐ構成情報を要求する」ために、「ＲＲＣＰ２Ｐ構成要求メッセージをｅＮＢに送信」するという１つの通信モードといえる。
　以上からすれば、引用発明の「前記ピア発見のためにＰ２Ｐに割り振られたリソースを含むＰ２Ｐ構成情報を要求するＲＲＣＰ２Ｐ構成要求メッセージをｅＮＢに送信し、ｅＮＢから前記Ｐ２Ｐ構成情報を備えるＲＲＣＰ２Ｐ構成メッセージを受信することにより事前接続確立を実行し、Ｐ２Ｐに割り振られたリソースはリソースブロックを含」むことは、本願発明の「前記ダイレクト・ディスカバリ通信モードを開始し、前記ダイレクト・ディスカバリ通信モードに専用のリソースの割り当てを要求するために、無線リソース制御（ＲＲＣ）コネクテッド・モードの間に、前記ｅＮＢへのメッセージの送信を開始することであって、前記専用のリソースは前記１つ以上のシステム情報パラメータにより示される１つ以上の周波数を含む」に含まれる。
２　引用発明は、ｅＮＢから「ＲＲＣＰ２Ｐ構成メッセージ」を受信し、該「ＲＲＣＰ２Ｐ構成メッセージ」が「Ｐ２Ｐ構成情報」を備えるところ、本願発明は、「エボルブド・ノードＢ（ｅＮＢ）から受信されるブロードキャスト・メッセージから、システム情報ブロック（ＳＩＢ）を受信」し、「ＳＩＢ」が「システム情報パラメータ」を含むものである。
　してみると、本願発明の「エボルブド・ノードＢ（ｅＮＢ）から受信されるブロードキャスト・メッセージから、システム情報ブロック（ＳＩＢ）を受信することであって、前記ＳＩＢは、前記ダイレクト・ディスカバリ通信モードで使用するための１つ以上の周波数を示す１つ以上のシステム情報パラメータを含み、前記ダイレクト・ディスカバリ通信モードの間、前記ＵＥは第２ＵＥと直接的に通信するように構成されている、こと」と、引用発明の「前記ピア発見のためにＰ２Ｐに割り振られたリソースを含むＰ２Ｐ構成情報を要求するＲＲＣＰ２Ｐ構成要求メッセージをｅＮＢに送信し、ｅＮＢから前記Ｐ２Ｐ構成情報を備えるＲＲＣＰ２Ｐ構成メッセージを受信することにより事前接続確立を実行し、Ｐ２Ｐに割り振られたリソースはリソースブロックを含」むこととは、「エボルブド・ノードＢ（ｅＮＢ）から受信されるメッセージが、前記ダイレクト・ディスカバリ通信モードで使用するための１つ以上の周波数を示す１つ以上のシステム情報パラメータを含む」点で共通する。
３　引用発明は、「ピア発見のためにＰ２Ｐに割り振られたリソースを含むＰ２Ｐ構成情報」を備えるＲＲＣＰ２Ｐ構成メッセージを受信していることからすれば、「近傍検出信号」を送信するために、「ピア発見のためにＰ２Ｐに割り振られたリソース」を用いることは自明である。
　そして、引用発明の「近傍検出信号」を「ディスカバリ信号」と称することは任意であるから、引用発明の「前記ＵＥの存在を他のＵＥが検出できるように近傍検出信号を送信することによってピア発見を実行する」ことは、本願発明の「前記ダイレクト・ディスカバリ通信モードの間に、前記専用のリソースで前記第２ＵＥへ送信するディスカバリ信号を送信すること」に含まれる。
４　引用発明の「ＵＥのアクティビティ」を「ＵＥの動作」と称することは任意であるから、引用発明の「ＵＥのアクティビティを実行するためのプログラム命令とデータとを記憶するメモリ」は、本願発明と同様に「前記ＵＥの動作を実行するための命令を保存するように構成される」といえる。
５　引用発明の「プロセッサ」を「処理回路」と称することは任意である。
　そして、上記１及び３の点を踏まえれば、引用発明の「サービングｅＮＢとの事前接続確立を実行し、事前接続確立の後、近傍内にある他のＵＥを検出するためにピア発見を実行する」ことは、本願発明の「ダイレクト・ディスカバリ通信モードに従って動作する」に含まれる。
　さらに、引用発明の「ユーザ機器デバイス（ＵＥ）」は、本願発明の「ユーザ装置（ＵＥ）の装置」に相当する。
　以上のことから、本願発明と引用発明との一致点及び相違点は、次のとおりである。
（一致点）
「　処理回路とメモリとを有し、ダイレクト・ディスカバリ通信モードに従って動作するユーザ装置（ＵＥ）の装置であって、前記処理回路は：
　エボルブド・ノードＢ（ｅＮＢ）から受信されるメッセージが、前記ダイレクト・ディスカバリ通信モードで使用するための１つ以上の周波数を示す１つ以上のシステム情報パラメータを含む、こと
　前記ダイレクト・ディスカバリ通信モードを開始し、前記ダイレクト・ディスカバリ通信モードに専用のリソースの割り当てを要求するために、無線リソース制御（ＲＲＣ）コネクテッド・モードの間に、前記ｅＮＢへのメッセージの送信を開始することであって、前記専用のリソースは前記１つ以上のシステム情報パラメータにより示される１つ以上の周波数を含む、こと；及び
　前記ダイレクト・ディスカバリ通信モードの間に、前記専用のリソースで前記第２ＵＥへ送信するディスカバリ信号を送信すること；
　を行うように構成され、
　前記メモリは、前記ＵＥの動作を実行するための命令を保存するように構成される、装置。」
（相違点１）
　本願発明の「システム情報パラメータ」に関し、本願発明は、「ブロードキャスト・メッセージから、システム情報ブロック（ＳＩＢ）を受信」し、「ＳＩＢ」がシステム情報パラメータを含むのに対し，引用発明は、「ＲＲＣＰ２Ｐ構成メッセージ」がＰ２Ｐ構成情報を備えるものであって、Ｐ２Ｐ構成情報が「ＳＩＢ」に含まれる旨の特定がなされていない点。
（相違点２）
　本願発明は、「前記ダイレクト・ディスカバリ通信モードの間、前記ＵＥは第２ＵＥと直接的に通信するように構成されている」との発明特定事項を有しているのに対し，引用発明は当該事項を特定するものではない点。
　上記相違点１について検討する。
　上記「第４　引用発明及び公知技術」の「２　公知技術」によれば、「プロセッサを備え、ｅＮＢとの事前接続確立を実行するユーザ機器デバイス（ＵＥ）であって、前記プロセッサは、前記ｅＮＢからブロードキャストされたシステム情報ブロック（ＳＩＢ）を受信し、受信したＳＩＢから、ピア発見のためにＰ２Ｐに割り振られたリソースを含むＰ２Ｐ構成情報を取得することよって事前接続確立を実行し、Ｐ２Ｐに割り振られたリソースはリソースブロックを含む、ユーザ機器デバイス。」は公知技術である。
　そして、引用例の段落００１５１に「装置１９００は、・・・、図１５〜図１８に関連して説明した方法１４００の・・・すべてを実行するための同様の電気的構成要素を含み得る。」（上記第４の上記１の上記（４）参照。）と、同段落００１５８に「前記手段は、図１４に関連して上記で説明した動作を実行するためのアルゴリズムを実行する上述のプロセッサのいずれか１つまたは組合せを含み得る。このアルゴリズムは、図５〜図１１および／または図１５〜図１９に関連して説明した動作の詳細を含み得る。」（上記第４の上記１の上記（５）参照。）との各記載があることから、引用例には、ＵＥが実行する事前接続確立に関して、ＵＥが、ｅＮＢに構成要求メッセージを送信し、ｅＮＢからＰ２Ｐ構成情報を備える構成メッセージを受信する実施例（上記第４の上記１の上記（２）の段落００７２〜００７３、同上記（３）の段落００１４４の記載及び同上記（７）のＦＩＧ．６、同上記（８）のＦＩＧ．１５参照。）と、ＵＥが、ｅＮＢによってブロードキャスとされたＳＩＢを受信し、ＳＩＢからＰ２Ｐ構成情報を取得する実施例（上記第４の上記２の上記（９）、（１０）の記載及び同（１１）のＦＩＧ．７、同（１２）のＦＩＧ．１６参照。）を適宜組み合わせ得ることが示唆されているといえる。
　よって、引用発明に、事前接続確立を実行するための方式として、「エボルブド・ノードＢ（ｅＮＢ）から受信されるブロードキャスト・メッセージから、システム情報ブロック（ＳＩＢ）を受信すること」、及び「前記ＳＩＢは、前記ダイレクト・ディスカバリ通信モードで使用するための１つ以上の周波数を示す１つ以上のシステム情報パラメータを含」むこと、を追加することは当業者が適宜なし得ることである。
　上記相違点２について検討する。
　引用発明の「前記ＵＥの存在を他のＵＥが検出できるように近傍検出信号を送信することによってピア発見を実行する」との記載によれば、ＵＥが近傍検出信号を送信し、他のＵＥが該近傍検出信号を受信することは明らかであり、ピア発見では、ＵＥは他のＵＥと直接的に通信しているといえる。
　よって、「前記ダイレクト・ディスカバリ通信モードの間、前記ＵＥは第２ＵＥと直接的に通信するように構成されていることを行うように構成されている」との発明特定事項は、実質的な相違点とはいえない。
　そして、本願発明が奏する効果も、当業者が引用発明及び公知技術から容易に予想できる範囲内のものである。
　したがって、本願発明は、引用発明及び公知技術に基づいて当業者が容易に発明をすることができたものである。
第６　令和２年１月２９日に提出された上申書について
　請求人は，令和２年１月２９日に上申書を提出しているので補足的に検討する。
　前記上申書において、審判請求人は、前置報告において、拒絶の理由を発見しないと認定された本願請求項６、２４に基づき、出願当初の明細書の段落００２２、００３２を根拠として、請求項１を、
「　処理回路とメモリとを有し、ダイレクト・ディスカバリ通信モードに従って動作するユーザ装置（ＵＥ）の装置であって、前記処理回路は：
　エボルブド・ノードＢ（ｅＮＢ）から受信されるブロードキャスト・メッセージから、システム情報ブロック（ＳＩＢ）を受信することであって、前記ＳＩＢは、前記ダイレクト・ディスカバリ通信モードで使用するための１つ以上の周波数を示す１つ以上のシステム情報パラメータを含み、前記ダイレクト・ディスカバリ通信モードの間、前記ＵＥは第２ＵＥと直接的に通信するように構成されている、こと；
　前記ダイレクト・ディスカバリ通信モードを開始し、前記ダイレクト・ディスカバリ通信モードに専用のリソースの割り当てを要求するために、無線リソース制御（ＲＲＣ）コネクテッド・モードの間に、前記ｅＮＢへのメッセージの送信を開始することであって、前記専用のリソースは前記１つ以上のシステム情報パラメータにより示される１つ以上の周波数を含
み、前記メッセージは、前記ダイレクト・ディスカバリ通信モードの一環として、前記ＵＥがディスカバリ信号を通知しているか又は監視しているかどうかを示す
　前記ダイレクト・ディスカバリ通信モードの間に、前記専用のリソースで前記第２ＵＥへ送信するディスカバリ信号を送信すること；
を行うように構成され、
　前記メモリは、前記ＵＥの動作を実行するための命令を保存するように構成される、装置。」とすることを含む補正案（下線は上申書の記載のとおり。以下、「補正案発明」という。）を呈示している。
　しかしながら、前記補正案発明は、下記の点で請求項６に基づくものではなく、新規事項を追加するものであり、サポート要件を満たさない。
１　本願請求項６には、「前記ＵＥが前記ｅＮＢへ送信するダイレクト・ディスカバリ状態メッセージは、前記ダイレクト・ディスカバリ通信モードの一環として、前記ＵＥがディスカバリ信号を通知しているか又は監視しているかどうかを示す、請求項１ないし５のうち何れか一項に記載の装置。」と記載されているものの、補正案発明には、「ダイレクト・ディスカバリ状態メッセージ」は何ら記載されてないことから、補正案発明は、請求項６に基づくものとはいえない。
２　補正案発明の「前記ダイレクト・ディスカバリ通信モードに専用のリソースの割り当てを要求するために、・・・、前記ｅＮＢへのメッセージの送信を開始することであって、・・・、前記メッセージは、前記ダイレクト・ディスカバリ通信モードの一環として、前記ＵＥがディスカバリ信号を通知しているか又は監視しているかどうかを示す」との記載によれば、補正案発明は、「ダイレクト・ディスカバリ通信モードに専用のリソースの割り当てを要求する」ための「ｅＮＢへのメッセージ」が、「前記ＵＥがディスカバリ信号を通知しているか又は監視しているかどうかを示す」ことを含むといえる。
　ここで、請求人が、補正案発明の根拠とする段落００２２、００３２を参照すると、「Ｄ２Ｄディスカバリ状態メッセージ」が、ＵＥが通知しているか又は監視しているかどうかを示し得ることが記載されているものの、「Ｄ２Ｄディスカバリ状態メッセージ」が「ダイレクト・ディスカバリ通信モードに専用のリソースの割り当てを要求する」ことに係わる記載は全く見当たらない。また、上記段落以外にも、これに係る記載や示唆も見当たらない。
　一方、本願明細書の段落００３５、００３６を参照すると、補正案発明の「ダイレクト・ディスカバリ通信モードに専用のリソースの割り当てを要求する」ための「ｅＮＢへのメッセージ」に対応する「Ｄ２Ｄディスカバリリソース要求メッセージ」が記載されているものの、該「Ｄ２Ｄディスカバリリソース要求メッセージ」が、「前記ＵＥがディスカバリ信号を通知しているか又は監視しているかどうかを示す」ことに係わる記載は見当たらず、上記段落以外にも、これに係る記載や示唆も見当たらない。
　したがって、本願明細書等には「前記ダイレクト・ディスカバリ通信モードに専用のリソースの割り当てを要求するために、無線リソース制御（ＲＲＣ）コネクテッド・モードの間に、前記ｅＮＢへのメッセージの送信を開始することであって、・・・、前記メッセージは、前記ダイレクト・ディスカバリ通信モードの一環として、前記ＵＥがディスカバリ信号を通知しているか又は監視しているかどうかを示す」との発明特定事項に対応する事項は記載も示唆もされておらず、また、前記発明特定事項は自明でもないから、前記発明特定事項は、本願明細書等のすべての記載を総合することにより導かれる技術的事項との関係において、新たな技術事項といえる。
　よって、補正案発明は、本願明細書等のすべての記載を総合することにより導かれる技術的事項との関係において、新たな技術的事項を導入するものである。
３　また、上記１で述べたように、本願明細書等には「前記ダイレクト・ディスカバリ通信モードに専用のリソースの割り当てを要求するために、無線リソース制御（ＲＲＣ）コネクテッド・モードの間に、前記ｅＮＢへのメッセージの送信を開始することであって、・・・、前記メッセージは、前記ダイレクト・ディスカバリ通信モードの一環として、前記ＵＥがディスカバリ信号を通知しているか又は監視しているかどうかを示す」との発明特定事項に対応する事項は記載も示唆もされていないから、補正案発明は、発明の詳細な説明に記載したものでない。
４　なお、付言すると、ピア発見を行う際、ＵＥが、ピア検出又はピア通知の許可をネットワークに要求することは、国際公開２０１２／１２９４９２号（段落００５１、００５２、００８７、００８８参照。）、国際公開２０１２／１１６０５１号（段落００４１、００４２参照。）に見られるように周知の技術であって、このような要求を、ピア検出しているか又はピア通知しているかを示すようにすることも格別困難なものではなく，当業者が適宜採用し得ることにすぎない。
　よって、補正案発明も、引用例に記載された発明、公知技術及び周知技術に基づいて当業者が容易に発明をすることができたものである。
　以上、上記１〜４からすれば、当該補正案は特許を受けることができないものであり、上申書の意見は採用できない。
第７　むすび
　以上のとおり、本願発明は，特許法第２９条第２項の規定により特許を受けることができないから、他の請求項に係る発明について検討するまでもなく、本願は拒絶されるべきものである。
　よって、結論のとおり審決する。